(57)【特許請求の範囲】
【請求項１】
一対のレンズを支持するためのフロント部と、
該フロント部の左右の端部にそれぞれ設けられたテンプル部と、
前記フロント部に対して着脱自在な右鼻パッド部及び左鼻パッド部と、
を備え、
前記フロント部のブリッジには上下方向に延びる案内溝部が左右に設けられており、
前記右鼻パッド部及び前記左鼻パッド部が、それぞれ、装着者の鼻に当接されるパッド部と、該パッド部に取り付けられた取り付け部とからなり、
前記右鼻パッド部及び前記左鼻パッド部の前記取り付け部を、それぞれ、対応する前記案内溝部に下方から挿入し、上方に向けて移動させることにより、前記右鼻パッド部及び前記左鼻パッド部が、前記フロント部に取り付けられ、
前記案内溝部が、後側の首受け部と、該首受け部に連続し該首受け部よりも左右方向の幅が大きい前側の頭受け部とからなり、
前記取り付け部が、前記パッド部に取り付けられた方体状の首部と、該首部に連続し、該首部よりも左右方向の幅が大きい円柱状の頭部とからなり、
前記頭部の左右方向の幅が、前記首受け部の左右方向の幅よりも大きい眼鏡。
【請求項２】
前記右鼻パッド部及び前記左鼻パッド部の前記取り付け部を、それぞれ、対応する前記案内溝部に下方から挿入し、上方に向けて移動させ圧入させることにより、前記右鼻パッド部及び前記左鼻パッド部が、前記フロント部に取り付けられる請求項１記載の眼鏡。
【請求項３】
前記案内溝部の左右方向の幅が上方に向かって漸次小さくなっている請求項２記載の眼鏡。
【請求項４】
前記首部の上端の左右方向の幅が、下端の左右方向の幅よりも小さくなっている請求項３記載の眼鏡。
【請求項５】
前記首部の上下方向の長さが、該首部の左右方向及び前後方向の長さよりも大きい請求項３又は４に記載の眼鏡。
【請求項６】
前記案内溝部の下端には、該案内溝部の周縁に沿って切り欠かれた切り欠き部が設けられている請求項１〜５のいずれか１項に記載の眼鏡。
【発明の詳細な説明】
【技術分野】
【０００１】
本発明は、眼鏡に関し、更に詳しくは、着脱自在な右鼻パッド部と左鼻パット部を備える眼鏡に関する。
【背景技術】
【０００２】
眼鏡は、一般に、鼻パッド部とテンプル部とを有しており、テンプル部を耳の上に掛け、鼻パッド部を鼻に載せることにより、的確に着用される。
ところで、従来の眼鏡においては、レンズを囲む部分であるリムが金属である場合、金属細線からなる箱付きアームの一端をリムに溶接により取り付け、そのアームを介してパッドが取り付けられている。
【０００３】
近年、プラスチックを素材とする眼鏡が多く市場に出回るようになっており、溶接等を使わず鼻パットを取り付けるものが開発されている。その多くは、パッドをブリッジ（或いはブリッジ近傍）に差し込んで固定するものである。
【０００４】
例えば、特許文献１の眼鏡は、ブリッジ近傍のリムに２箇所に孔を形成し、左パッド或いは右パッドをその各孔に嵌め込む構造となっている。この場合、パッド部側のアンカーが逆止弁状に形成されており、このアンカーをリムの孔に圧入すると、ブリッジ側の樹脂材がアンカー側に形成された係合溝に食い込んで抜け止めがなされ確実に固定される。
特許文献２の眼鏡は、ブリッジに一対の支持軸を設け、他方の鼻当て部には、それに対応する一対の開口部を設け、支持軸が鼻当て部の開口部に挿入されて鼻当て部は回動自在となる構造である。そして鼻当て部の突出部をブリッジの凹部に嵌め込むことで鼻当て部の回動が阻止されて固定される。
特許文献３の眼鏡は、ブリッジに長孔を設け、この長穴にパッドアームの金属線よりなる凸形の屈曲部を押し込んで屈曲部の弾性バネ力を利用して保持するものである。
【先行技術文献】
【特許文献】
【０００５】
【特許文献１】特開２００６−２５１６７９号公報
【特許文献２】特開２００１−１４２０３０号公報
【特許文献３】特開２０１３−４５０４６号公報
【発明の概要】
【発明が解決しようとする課題】
【０００６】
しかしながら上記特許文献１記載の眼鏡では、右パッド又は左パッドは孔から取り外すことができず、その交換が困難である。
上記特許文献２記載の眼鏡は、そのパッドの取り付け構造が複雑なため、鼻当て部をブリッジから取り外すには、鼻当て部の突出部を一旦ブリッジの凹部から離脱させ、その後、一対の支持軸と一対の開口部とを外す面倒な操作が必要である。
上記特許文献３記載の眼鏡は、ただ一本の金属線の弾性バネ力を利用しているので、パッドアームが、長穴から離脱し外れ易く確実な取り付けができない。
因みに、長穴と屈曲部との間に間隙が生じるため水等が入る恐れがあり、その場合はより外れ易くなる。
【０００７】
本発明は上記事情に鑑みてなされたものであり、簡単な構造で左右の鼻パッド部を容易に且つ確実に各々独立して取り付けることができ、また取り付けた後に取り外して交換も可能な眼鏡を提供することを目的とする。
【課題を解決するための手段】
【０００８】
本発明者は、上記課題を解決するため鋭意検討したところ、右鼻パッド部及び左鼻パッド部を、それぞれ独立して着脱自在なものとし、右鼻パッド部及び左鼻パッド部の取り付け部を、それぞれ、フロント部のブリッジに設けた案内溝部に下方から挿入し、上方に向けて移動させることにより、右鼻パッド部及び左鼻パッド部がフロント部に取り付けられる構成とすることにより、上記問題点を解決できることを見出し、本発明を完成させるに至った。
【０００９】
本発明は、（１）一対のレンズを支持するためのフロント部と、該フロント部の左右の端部にそれぞれ設けられたテンプル部と、フロント部に対して着脱自在な右鼻パッド部及び左鼻パッド部と、を備え、フロント部のブリッジには上下方向に延びる案内溝部が左右に設けられており、右鼻パッド部及び左鼻パッド部が、それぞれ、装着者の鼻に当接されるパッド部と、該パッド部に取り付けられた取り付け部とからなり、右鼻パッド部及び左鼻パッド部の取り付け部を、それぞれ、対応する案内溝部に下方から挿入し、上方に向けて移動させることにより、右鼻パッド部及び左鼻パッド部が、フロント部に取り付けられ、案内溝部が、後側の首受け部と、該首受け部に連続し該首受け部よりも左右方向の幅が大きい前側の頭受け部とからなり、取り付け部が、パッド部に取り付けられた方体状の首部と、該首部に連続し、該首部よりも左右方向の幅が大きい円柱状の頭部とからなり、頭部の左右方向の幅が、首受け部の左右方向の幅よりも大きい眼鏡に存する。
【００１０】
本発明は、（２）右鼻パッド部及び左鼻パッド部の取り付け部を、それぞれ、対応する案内溝部に下方から挿入し、上方に向けて移動させ圧入させることにより、右鼻パッド部及び左鼻パッド部が、フロント部に取り付けられる上記（１）記載の眼鏡に存する。
【００１１】
本発明は、（３）案内溝部の左右方向の幅が上方に向かって漸次小さくなっている上記（２）記載の眼鏡に存する。
【００１３】
本発明は、（４）首部の上端の左右方向の幅が、下端の左右方向の幅よりも小さくなっている上記（３）記載の眼鏡に存する。
【００１４】
本発明は、（５）首部の上下方向の長さが、首部の左右方向及び前後方向の長さよりも大きい上記（３）又は（４）に記載の眼鏡に存する。
【００１５】
本発明は、（６）案内溝部の下端には、該案内溝部の周縁に沿って切り欠かれた切り欠き部が設けられている上記（１）〜（５）のいずれか１つに記載の眼鏡に存する。
【発明の効果】
【００１６】
本発明の眼鏡においては、右鼻パッド部及び左鼻パッド部をそれぞれ独立したものとしているので、右鼻パッド部及び左鼻パッド部を非対称な位置に配置（例えばパッド部の傾斜角度が異なるように配置）することが可能であり、右鼻パッド部及び左鼻パッド部のパッド部自体を互いに異なる形状のものとすることも可能である。
因みに、通常、鼻は、必ずしも中心線に対して線対称な形状となっている訳ではなく、また、鼻の大きさにも個人差がある。
【００１７】
本発明の眼鏡においては、右鼻パッド部及び左鼻パッド部の取り付け部を、それぞれ、対応する案内溝部に下方から挿入し、上方に向けて移動させることにより、右鼻パッド部及び左鼻パッド部がフロント部のブリッジに取り付けられる構成となっているので、レンズ等が邪魔にならず、取り付けが極めて容易となる。
また、逆の操作を行うことにより、右鼻パッド部及び左鼻パッド部を、ブリッジから取り外すことも可能である。
【００１８】
本発明の眼鏡においては、装着時に、右鼻パッド部のパッド部、及び、左鼻パッド部のパッド部、が着用者の鼻に下から支持されることになるので、右鼻パッド部及び左鼻パッド部が不作為にフロント部のブリッジから外れることが抑制される。
【００１９】
したがって、上記眼鏡によれば、右鼻パッド部のパッド部、及び、左鼻パッド部のパッド部、の形状を適宜選択すると共に、適正な位置に配置することより、アームを屈曲させなくても、これらのパッド部を効果的に鼻にフィットさせることが可能となる。
また、仮に、右鼻パッド部又は左鼻パッド部が破損した場合であっても、一方のみを容易に交換することができる。
【００２０】
本発明の眼鏡においては、右鼻パッド部及び左鼻パッド部のブリッジへの取り付けが、圧入によるものであることが好ましい。この場合、右鼻パッド部及び左鼻パッド部を極めて容易にブリッジに取り付けることができる。
また、右鼻パッド部及び左鼻パッド部が不作為にブリッジから外れることを防止でき、且つ、ブリッジに取り付けられた右鼻パッド部及び左鼻パッド部がずれ難くなる。
このとき、案内溝部は、左右方向の幅が上方に向かって漸次小さくなっていることが好ましい。これにより、右鼻パッド部及び左鼻パッド部の圧入によるブリッジへの締まり嵌めをより容易に且つ確実に行うことができる。
【００２１】
本発明の眼鏡においては、取り付け部の頭部の左右方向の幅が、案内溝部の首受け部の左右方向の幅よりも大きいものとすることにより、取り付けられた右鼻パッド部及び左鼻パッド部がブリッジから後方に引き抜かれることを防止することができる。
【００２２】
本発明の眼鏡においては、首部の上端の左右方向の幅が、下端の左右方向の幅よりも小さくなっていることが好ましい。これにより、取り付け部を案内溝部に挿入させ易くなる。
【００２３】
本発明の眼鏡においては、首部の上下方向の長さを、左右方向及び前後方向の長さよりも大きくすることにより、ブリッジに取り付けた右鼻パッド部及び左鼻パッド部の安定性が向上する。
【００２４】
本発明の眼鏡においては、案内溝部の下端に、当該案内溝部の周縁に沿って切り欠き部が設けられている場合、右鼻パッド部及び左鼻パッド部の挿入がし易くなるという利点がある。
なお、仮に、切り欠き部がない場合、右鼻パッド部及び左鼻パッド部を案内溝部から抜く際に、右鼻パッド部及び左鼻パッド部が案内溝部の下端の周縁に引っ掛かって負荷がかかる恐れがある。
【図面の簡単な説明】
【００２５】
【図１】図１の（ａ）は、本発明に係る眼鏡の一実施形態を示す平面図であり、図１の（ｂ）は、図１の（ａ）に示す眼鏡の正面図であり、図１の（ｃ）は、図１の（ａ）に示す眼鏡の側面図である。
【図２】図２は、図１の（ｂ）に示す眼鏡をＡ−Ａ線を含む水平面で切断した部分断面図である。
【図３】図３の（ａ）は、図１の（ａ）に示す眼鏡をＢ−Ｂ線を含む鉛直面で切断した部分断面図であり、（ｂ）は、図１の（ａ）に示す眼鏡をＣ−Ｃ線を含む鉛直面で切断した部分断面図である。
【図４】図４の（ａ）は、本実施形態に係る眼鏡の左鼻パッド部３ｂを示す側面図であり、（ｂ）は、その正面図であり、（ｃ）は、その平面図である。
【図５】図５は、本実施形態に係る眼鏡における取り付け部を示す部分斜視図である。
【図６】図６は、本実施形態に係る眼鏡において、案内溝部と取り付け部との関係を説明するための概略側面図である。
【発明を実施するための形態】
【００２６】
以下、必要に応じて図面を参照しつつ、本発明の好適な実施形態について詳細に説明する。なお、図面中、同一要素には同一符号を付すこととし、重複する説明は省略する。また、図面の寸法比率は図示の比率に限られるものではない。
【００２７】
図１の（ａ）は、本発明に係る眼鏡の一実施形態を示す平面図であり、図１の（ｂ）は、図１の（ａ）に示す眼鏡の正面図であり、図１の（ｃ）は、図１の（ａ）に示す眼鏡の側面図である。
図１の（ａ）、（ｂ）及び（ｃ）に示すように、本実施形態に係る眼鏡１００は、左右のレンズＬと、該レンズＬを支持するためのフロント部１と、該フロント部１の左右の端部にそれぞれ設けられたテンプル部２と、該テンプル部２に取り付けられた耳当て部Ｍ（モダンともいう。）と、フロント部１に対して着脱自在な右鼻パッド部３ａ及び左鼻パッド部３ｂとを備える。
眼鏡１００は、耳当て部Ｍを着用者の耳の上に掛け、右鼻パッド部３ａ及び左鼻パッド部３ｂを着用者の鼻に載せることにより、着用される。
なお、レンズＬは、市販のものを適宜採用することができ、着色の有無、度の有無は問わない。
【００２８】
フロント部１は、眼鏡１００の前面に位置し、左右のレンズＬをそれぞれ支持するリム１１と、左右のリム１１を繋ぐブリッジ１０とからなる。
そして、眼鏡１００においては、フロント部１のブリッジ１０の裏面側に上下方向に延びる案内溝部１２が、ブリッジ１０の中央から対称な位置となるように、左右に設けられている。
【００２９】
ここで、本明細書においては、眼鏡１００のフロント部１側を「前」、耳当て部Ｍ側を「後」とし、フロント部１の前側面を表面、後側面を裏面としている。
また、上記「上下方向」は、鉛直方向に限定されず、鉛直方向から多少傾斜した方向も含む。
また、上下方向に延びる案内溝部１２は、直線状であってもよく、緩やかな曲線状であってもよい。
【００３０】
フロント部１において、案内溝部１２が設けられるブリッジ１０の材質は、アセテート、セルロイド、ポリエーテルイミド、ポリエーテルサルフォン、ポリアミド、ポリフェニルサルフォン、オプチル（エポキシ）等の樹脂素材であることが好ましい。この場合、後述する、右鼻パッド部３ａ及び左鼻パッド部３ｂをそれぞれ対応する案内溝部１２に沿って圧入し易くなると共に、フロント部１が右鼻パッド部３ａ及び左鼻パッド部３ｂを保持する保持力を向上させることができる。
なお、フロント部１において、ブリッジ１０に設けられた案内溝部１２近傍以外の部分（例えばリム１１）の素材は、上記と同じ樹脂素材であってもよく、チタン、βチタン、ステンレス、ＮＴ合金、ニッケル合金、マグネシウム、アルミニウム、ゴムメタル、金、プラチナ等の金属素材であってもよく、亀甲、木材等の天然素材であってもよい。
【００３１】
上述したように、案内溝部１２は、ブリッジ１０の裏面側に一対設けられる。
図２は、図１の（ｂ）に示す眼鏡をＡ−Ａ線を含む水平面で切断した部分断面図である。
図２に示すように、左右の案内溝部１２は、いずれも平面視で前円後方状となっている。なお、眼鏡１００においては、左右の案内溝部１２は互いに同じ構造となっているので、一方の案内溝部１２の構造について説明する。
【００３２】
案内溝部１２は、直方体状の首受け部１２ａと、円柱状の頭受け部１２ｂとからなり、首受け部１２ａと頭受け部１２ｂとが連続した構造となっている。
そして、首受け部１２ａが、外部に連通するようにブリッジ１０の裏面側に設けられ、首受け部１２ａの前側に位置する頭受け部１２ｂが、ブリッジ１０内部に設けられている。
したがって、頭受け部１２ｂは、首受け部１２ａを介して外部に開放されている。
【００３３】
図３の（ａ）は、図１の（ａ）に示す眼鏡をＢ−Ｂ線を含む鉛直面で切断した部分断面図であり、（ｂ）は、図１の（ａ）に示す眼鏡をＣ−Ｃ線を含む鉛直面で切断した部分断面図である。
図３の（ａ）及び（ｂ）に示すように、案内溝部１２の首受け部１２ａ及び頭受け部１２ｂは、側面視で略矩形状であり、より詳しくは、後述するように、僅かではあるが、左右方向の幅が上方に向かって漸次小さくなった台形状となっている。すなわち、首受け部１２ａ及び頭受け部１２ｂは、上方から下方に向かって広がるようにテーパーとなっている。
【００３４】
眼鏡１００において、案内溝部１２の下端には、その周縁に沿って段状に切り欠かれた切り欠き部１２ｃが設けられている。これにより、案内溝部１２の下端の開口面がより大きくなるので、右鼻パッド部３ａ及び左鼻パッド部３ｂが案内され易くなるという利点がある。
【００３５】
図１の（ａ）、（ｂ）及び（ｃ）に戻り、眼鏡１００において、フロント部１の両端には、ヒンジ部Ｈを介して、テンプル部２が取り付けられている。なお、フロント部１、ヒンジ部Ｈ及びテンプル部２の取付構造は、公知のものを適宜採用できる。これにより、テンプル部２は、フロント部１に対して、水平方向に回動可能となる。
【００３６】
テンプル部２は、前側の板状部２ａと、当該板状部２ａに連続する後側の針金状部２ｂとからなる。
そして、針金状部２ｂには、耳当て部Ｍ（モダン）が取り付けられる。
なお、テンプル部２の材質は、特に限定されず、上述した樹脂素材、金属素材、天然素材等を適宜採用できる。
【００３７】
耳当て部Ｍは、前側が開口した中空状部を有している。
したがって、上述したように、テンプル部２の針金状部２ｂを、耳当て部Ｍの中空状部に挿入することにより、耳当て部Ｍがテンプル部２に取り付けられる。
なお、耳当て部Ｍの材質は、特に限定されず、上述した樹脂素材、金属素材、天然素材等を適宜採用できる。これらの中でも、耳当て部Ｍの材質は、軟質樹脂（例えば、ラバー）であることが好ましい。
【００３８】
右鼻パッド部３ａ及び左鼻パッド部３ｂは、別々の部材となっている。すなわち、両者は、それぞれ独立している。このため、右鼻パッド部３ａ及び左鼻パッド部３ｂを非対称な状態で配置（例えば傾斜角度が異なるように配置）することが可能であり、右鼻パッド部３ａのパッド部３１、及び、左鼻パッド部３ｂのパッド部３１、を互いに異なる形状とすることも可能である。これにより、右鼻パッド部３ａ及び左鼻パッド部３ｂを、着用者の鼻上部の左側や右側の特徴に対応したものとすることができる。
なお、本実施形態に係る眼鏡１００においては、右鼻パッド部３ａ及び左鼻パッド部３ｂの形状は、互いに線対称の関係となっている。
【００３９】
図４の（ａ）は、本実施形態に係る眼鏡の左鼻パッド部を示す側面図であり、（ｂ）は、その正面図であり、（ｃ）は、その平面図である。なお、この例では、上述したように、右鼻パッド部３ａと左鼻パッド部３ｂとが線対称の関係であるため、右鼻パッド部３ａの説明は省略する。
図４の（ａ）、（ｂ）及び（ｃ）に示すように、左鼻パッド部３ｂは、パッド部３１と、当該パッド部３１に取り付けられた取り付け部３２とからなる。
【００４０】
パット部３１は、芯材３１１と、当該芯材３１１を覆うカバー材３１２とからなる。
パット部３１においては、芯材３１１が左鼻パッド部３ｂの形態を保持し、カバー材３１２が着用者の鼻に直接当接されるようになっている。
ここで、芯材３１１の材質は、特に限定されないが、形態安定性の観点からポリエーテルイミド、ポリエーテルサルフォン、ポリアミド、ポリフェニルサルフォン等が好適に用いられる。
また、カバー材３１２の材質は、柔軟性の観点から、シリコーン、ラバー等が好適に用いられる。
また、カバー材３１２の形状は、着用者の鼻に当接可能であれば特に限定されない。
【００４１】
取り付け部３２は、パッド部３１に取り付けられた直方体状の首部３２２と、円柱状の頭部３２１とからなり、首部３２２と頭部３２１とが一体化した構造となっている。
眼鏡１００においては、左鼻パッド部３ｂをブリッジ１０に取り付けた場合、当該左鼻パッド部３ｂの首部３２２及び頭部３２１が共にブリッジ１０に把持されることになる。
なお、左右の鼻パッド部の取り付け部３２は、挿入可能となるように、案内溝部１２に対応した形状となっている。すなわち、首部３２２は、案内溝部１２の首受け部１２ａに対応した形状となっており、頭部３２１は、案内溝部１２の頭受け部１２ｂに対応した形状となっている。
【００４２】
取り付け部３２において、首部３２２は、その上下方向の長さＨ１が、左右方向の長さＨ２及び前後方向の長さＨ３よりも大きくなっている。これにより、ブリッジ１０に取り付けた右鼻パッド部３ａ及び左鼻パッド部３ｂのブレを抑制でき、安定性が向上する。
【００４３】
取り付け部３２において、頭部３２１及び首部３２２は、側面視で略矩形状であり、より詳しくは、僅かではあるが、左右方向の幅が上方に向かって漸次小さくなった台形状となっている。すなわち、頭部３２１及び首部３２２は、上方から下方に向かって広がるようにテーパーとなっている。
なお、取り付け部３２を案内溝部１２に挿入可能であれば、上述した頭受け部１２ｂ、上述した首受け部１２ａ、頭部３２１及び首部３２２のテーパーの傾斜角度はそれぞれ同一であっても異なっていてもよい。
【００４４】
図５は、本実施形態に係る眼鏡における取り付け部を示す部分斜視図である。
図５に示すように、取り付け部３２において、頭部３２１の上端における左右方向の幅Ｋ１は、下端における左右方向の幅Ｋ２よりも小さくなっている。
なお、首部３２２も同様に、長さ方向と平行な面における上端の左右方向の幅Ｋ３が下端の左右方向の幅Ｋ４よりも小さくなっている。
【００４５】
図１の（ａ）、（ｂ）及び（ｃ）に戻り、眼鏡１００においては、右鼻パッド部３ａ又は左鼻パッド部３ｂの取り付け部３２を、案内溝部１２に下方から挿入し、上方に向けて移動させることにより、取り付け部３２がブリッジ１０に圧入される（図１の（ｂ）参照）。
このとき、右鼻パッド部３ａ又は左鼻パッド部３ｂの取り付け部３２の上端は、案内溝部１２の上端のブリッジ１０に当接され、且つ、右鼻パッド部３ａ又は左鼻パッド部３ｂの取り付け部３２の下端は、ブリッジ１０の下面と面一となっていることが好ましい。
【００４６】
このように、上記眼鏡１００においては、右鼻パッド部３ａ及び左鼻パッド部３ｂを単に移動させることにより、極めて容易にブリッジ１０に取り付けることが可能となる。
また、眼鏡１００においては、右鼻パッド部３ａ又は左鼻パッド部３ｂを着脱する際に移動する案内溝部１２をブリッジ１０の上下方向に形成しているので、レンズＬが直接には邪魔にならず、取り付けが極めて容易となる。
また、右鼻パッド部３ａ又は左鼻パッド部３ｂを着脱する際に移動する案内溝部１２をブリッジ１０の上下方向に形成しているので、装着時に、右鼻パッド部３ａのパッド部３１、及び、左鼻パッド部３ｂのパッド部３１、が着用者の鼻に下から上方に支持されることになる。このため、仮に取付けが圧入によらない場合であっても、右鼻パッド部３ａ及び左鼻パッド部３ｂが不作為に案内溝部から外れることを抑制することができる。
【００４７】
図６は、本実施形態に係る眼鏡において、案内溝部と取り付け部との関係を説明するための概略平面図である。
図６に示すように、案内溝部１２において、頭受け部１２ｂの左右方向の幅Ｄ２は首受け部１２ａの左右方向の幅Ｄ１よりも大きくなっている。
また、取り付け部３２において、頭部３２１の左右方向の幅Ｄ３は、首部３２２の左右方向の幅Ｄ４よりも大きくなっている。
そして、頭部３２１の左右方向の幅Ｄ３は、首受け部１２ａの左右方向の幅Ｄ１よりも大きくなっている。これにより、ブリッジ１０に取り付けた右鼻パッド部３ａ及び左鼻パッド部３ｂがフロント部１から後方に引き抜かれることを確実に防止することができる。
【００４８】
また、取り付け部３２を案内溝部１２に沿って、上方に移動させる場合、頭受け部１２ｂの所定部分における左右方向の幅Ｄ２と、その所定部分に相当する位置の頭部３２１の左右方向の幅Ｄ３との差は、漸次小さくなる。
そして、両者の間の差がなくなったとき、取り付け部３２がブリッジに圧接されることになり、更に案内溝部１２の上端に達して動かなくなるまで取り付け部３２を移動させることにより、取り付け部３２のブリッジ１０への圧入が完了する。
【００４９】
以上、本発明の好適な実施形態について説明したが、本発明は上記実施形態に限定されるものではない。
【００５０】
例えば、本実施形態に係る眼鏡１００は、左右のレンズＬを備えているが、必須ではない。
また、テンプル部２と、耳当て部Ｍとを備えているが、これらの構造は上述したものに限定されない。
また、テンプル部２と耳当て部Ｍとが一体であってもよい。
【００５１】
本実施形態に係る眼鏡１００においては、フロント部１が、左右のレンズＬをそれぞれ支持するリム１１と、左右のリム１１を繋ぐブリッジ１０とからなっているが、リム１１は必ずしも必須の構成ではない。すなわち、例えば、テグスを使って、左右のレンズＬをブリッジ１０が直接支持するものであってもよい。
【００５２】
本実施形態に係る眼鏡１００において、案内溝部１２及び取り付け部３２は、側面視で、左右方向の幅が上方に向かって漸次小さくなった台形状となっているが、これに限定されない。
案内溝部１２及び取り付け部３２の何れか一方が、側面視で、左右方向の幅が上方に向かって漸次小さくなった台形状であり、他方が左右方向の幅が一定の矩形状であってもよい。
なお、例えば、弾性のある樹脂を素材として用いることにより、案内溝部１２及び取り付け部３２の両方を、左右方向の幅が一定の矩形状とすることも可能である。この場合、案内溝部１２より取り付け部３２を大きくし、これらを圧入構造とすることが好ましい。
【００５３】
本実施形態に係る眼鏡１００においては、案内溝部１２の下端には、その周縁に沿って段状（階段状）に切り欠かれた切り欠き部１２ｃが設けられているが（図３参照）、必須ではない。
また、段状に限定されず、テーパー等であってもよい。
【００５４】
本実施形態に係る眼鏡１００においては、右鼻パッド部３ａ及び左鼻パッド部３ｂの形状は、互いに線対称の関係となっているが、これに限定されない。
【産業上の利用可能性】
【００５５】
本発明は、近視用、老眼用、乱視用、ファッション用等の眼鏡として用いることができる。本発明によれば、鼻パッド部の着脱が容易であり、且つ、左右の鼻パッド部の位置をそれぞれ独立して調整することができる。
【符号の説明】
【００５６】
１・・・フロント部
１０・・・ブリッジ
１００・・・眼鏡
１１・・・リム
１２・・・案内溝部
１２ａ・・・首受け部
１２ｂ・・・頭受け部
１２ｃ・・・切り欠き部
２・・・テンプル部
２ａ・・・板状部
２ｂ・・・針金状部
３１・・・パッド部
３１１・・・芯材
３１２・・・カバー材
３２・・・取り付け部
３２１・・・頭部
３２２・・・首部
３ａ・・・右鼻パッド部
３ｂ・・・左鼻パッド部
Ｈ・・・ヒンジ部
Ｌ・・・レンズ
Ｍ・・・耳当て部
【要約】
【課題】鼻パッド部の着脱が容易であり、且つ、左右の鼻パッド部の位置をそれぞれ独立して調整することも可能な眼鏡を提供すること。
【解決手段】本発明は、一対のレンズＬを支持するためのフロント部１と、該フロント部１の左右の端部にそれぞれ設けられたテンプル部２と、フロント部１に対して着脱自在な右鼻パッド部３ａ及び左鼻パッド部３ｂと、を備え、フロント部１のブリッジ１０には上下方向に延びる案内溝部１２が左右に設けられており、右鼻パッド部３ａ及び左鼻パッド部３ｂが、それぞれ、装着者の鼻に当接されるパッド部３１と、該パッド部３１に取り付けられた取り付け部３２とからなり、右鼻パッド部３ａ及び左鼻パッド部３ｂの取り付け部３２を、それぞれ、対応する案内溝部１２に下方から挿入し、上方に向けて移動させることにより、右鼻パッド部３ａ及び左鼻パッド部３ｂが、フロント部１に取り付けられる眼鏡１００である。
【選択図】図１【図１】
0006742678.tif 000002
【図２】
0006742678.tif 000003
【図３】
0006742678.tif 000004
【図４】
0006742678.tif 000005
【図５】
0006742678.tif 000006
【図６】
0006742678.tif 000007